(57)【要約】      （修正有）【課題】保水性と通気性とのバランスを取ることができ、植物の成長を促進でき、ユーザは栽培の植物に水を頻繁にかける必要がなく、植物の栽培が楽になり、そして水を節約することもできる保水機能付き植物栽培用容器を提供する。【解決手段】本体１０に開口１１１が設けられ、前記開口から前記本体の内部へ収容空間１１が形成され、前記本体は、内面と、外面と、前記内面と前記外面との間に成形され、高密度な隙間を有し、前記隙間が前記内面及び前記外面と連通する保水層１４とを含む。【選択図】図２
0003168008.tif 000002
【実用新案登録請求の範囲】
【請求項１】
開口と内部に収容空間が形成された本体を具備した保水機能付き植物栽培用容器であって、
前記本体は、
内面と、
外面と、
前記内面と前記外面との間に成形され、高密度な隙間を有し、前記隙間が前記内面及び前記外面と連通する保水層と、
を含むことを特徴とする保水機能付き植物栽培用容器。
【請求項２】
前記本体の前記外面に防水層がカバーされ、前記保水層の前記隙間は、大隙間と、小隙間と、から構成されることを特徴とする、請求項１に記載の保水機能付き植物栽培用容器。
【請求項３】
前記本体の外形はボール形状を呈し、前記収容空間は円柱形状を呈する空間であることを特徴とする、請求項１に記載の保水機能付き植物栽培用容器。
【請求項４】
前記本体の外形は柱形状を呈し、前記収容空間は柱形状を呈する空間であることを特徴とする、請求項１に記載の保水機能付き植物栽培用容器。
【請求項５】
前記本体は、親水性のポリビニールアルコールで成形されたものであることを特徴とする、請求項１に記載の保水機能付き植物栽培用容器。
【考案の詳細な説明】
【技術分野】
【０００１】
本考案は、植物栽培用容器に関し、特に、高密度な隙間を有し、水分を保持できる植物栽培用容器に関するものである。
【背景技術】
【０００２】
野外の土に栽培する植物は、雨、霧及び土壌にある水分により、水を頻繁にかける必要がないが、容器に栽培する植物は、容器内の土壌、又は栽培媒質が水分を持続に供給できず、且つ容器内の土壌、又は栽培媒質が充分の水分を保持できないため、水を頻繁にかける必要がある。
【０００３】
植物栽培用容器は、排水性及び通気度などは植物が良く成長できるかどうかの要因である。従来の植物栽培用容器は、容器と、余分な水を収集するディスクと、を含み、容器の底部には、複数の凸部と、排水穴と、が設けられ、植物を栽培したいときには、容器に栽培媒質を入れて植物を植える。
【０００４】
従来の植物栽培用容器に栽培する植物の水分と通気性とのバランスを取るために、水をよくかける他、余分な水を収集するディスクにある水を除去する必要があるため、極めて面倒である問題があった。
【考案の概要】
【考案が解決しようとする課題】
【０００５】
本考案の主な目的は、本体の壁に高密度な隙間を有する保水層を形成し、保水層が大隙間と小隙間とから構成され、保水層の含水量を調整することにより、保水性と通気性とのバランスを取ることができ、植物の成長を促進できる保水機能付き植物栽培用容器を提供することにある。
【０００６】
本考案の次の目的は、本体の壁が優れた吸水効果を有し、水分は、保水層に滲入した後、保水層の高密度な隙間に保持され、蒸発速度が減少する保水機能付き植物栽培用容器を提供することにある。
【０００７】
本考案の別の目的は、植物栽培用容器に吸収される水分が保水層に保持されるため、ユーザは栽培の植物に水を頻繁にかける必要がなく、植物の栽培が楽になり、そして水を節約することもできる。
【０００８】
本考案の更に別の目的は、冷房される室内が乾燥であり、植物栽培用容器に吸収される水分が保水層に保持されるため、栽培の植物を適当の湿度に維持でき、そして室内の湿度を調節することもできる。
【課題を解決するための手段】
【０００９】
本考案の保水機能付き植物栽培用容器によると、本体に開口が設けられ、前記開口から前記本体の内部へ収容空間が形成され、前記本体は、
内面と、
外面と、
前記内面と前記外面との間に成形され、高密度な隙間を有し、前記隙間が前記内面及び前記外面と連通する保水層と、
を含むことを特徴とする。
【００１０】
本考案の保水機能付き植物栽培用容器によると、前記本体の前記外面に防水層がカバーされ、前記保水層の前記隙間は、大隙間と、小隙間と、から構成されることを特徴とする。
【００１１】
本考案の保水機能付き植物栽培用容器によると、前記本体の外形はボール形状を呈し、前記収容空間は円柱形状を呈する空間であることを特徴とする。
【００１２】
本考案の保水機能付き植物栽培用容器によると、前記本体の外形は柱形状を呈し、前記収容空間は柱形状を呈する空間であることを特徴とする。
【００１３】
本考案の保水機能付き植物栽培用容器によると、前記本体は、親水性のポリビニールアルコールで成形されたものであることを特徴とする。
【考案の効果】
【００１４】
本考案の保水機能付き植物栽培用容器によれば、次のような効果がある。
（１）本体の壁に高密度な隙間を有する保水層を形成し、保水層が大隙間と小隙間とから構成され、保水層の含水量を調整することにより、保水性と通気性とのバランスを取ることができ、植物の成長を促進できる。
【００１５】
（２）本体の壁が優れた吸水効果を有するため、水分は、保水層に滲入した後、保水層の高密度な隙間に保持され、蒸発速度が減少する。
【００１６】
（３）植物栽培用容器に吸収される水分が保水層に保持されるため、ユーザは栽培の植物に水を頻繁にかける必要がなく、植物の栽培が楽になり、そして水を節約することもできる。
【００１７】
（４）冷房される室内が乾燥であり、植物栽培用容器に吸収される水分が保水層に保持されるため、栽培の植物を適当の湿度に維持でき、そして室内の湿度を調節することもできる。
【図面の簡単な説明】
【００１８】
【図１】本考案の一実施例の構造を示す外観図である。
【図２】本考案の一実施例の構造を示す断面図である。
【図３】本考案の保水層の一部の拡大図である。
【図４】本考案の別の実施例の構造を示す外観図である。
【図５】本考案の植物栽培用容器に栽培媒質を入れて植物を栽培する状態の断面図である。
【図６】本考案の植物栽培用容器の外部に防水層が設けられる構造を示す断面図である。
【考案を実施するための形態】
【００１９】
以下、本考案の実施の形態を図面に基づいて説明する。
まず、図１乃至図３を参照する。
本考案の一実施例の保水機能付き植物栽培用容器は、本体１０に開口１１１が設けられ、開口１１１から本体１０の内部へ収容空間１１が形成される。本体１０は、内面１２と、外面１３と、保水層１４と、を含む。保水層１４は、内面１２と外面１３との間に成形される。
【００２０】
内面１２は、内周壁１２１と、内底壁１２２と、を有する。内周壁１２１と内底壁１２２とにより、収容空間１１が形成される。
【００２１】
外面１３は、内周壁１２１に対応する外周壁１３１と、内底壁１２２に対応する外底壁１３２と、を有する。
【００２２】
保水層１４は、内面１２と外面１３との間に成形され、高密度な隙間を有し、前記隙間は、大隙間１４１と小隙間１４２とから構成され、内面１２及び外面１３と連通する。
【００２３】
本考案の保水機能付き植物栽培用容器は、親水性のポリビニールアルコール（ＰＶＡ）を射出成形によって成形したものであり、本体１０に開口１１１が設けられ、開口１１１から本体１０の内部へ収容空間１１が形成される。本体１０と収容空間１１との外形は、成形金型によって決まる。例えば、図１に示すように、本体１０の外形はボール形状を呈し、収容空間１１は円柱形状を呈する空間である。或いは、図４に示すように、本体１０の外形は柱形状を呈し、収容空間１１は柱形状を呈する空間である。
【００２４】
図２及び図３を参照する。本体１０の保水層１４は内面１２と外面１３とに覆われる。保水層１４は、発泡工程によって形成される、高密度な大隙間１４１と、高密度な小隙間１４２と、から構成される。大隙間１４１の直径は小隙間１４２の直径よりも大きい。図６に示すように、本体１０の外面１３に防水層２０が設けられる。防水層２０は、本体１０の外面１３を覆い、保水層１４の内面にある水分の蒸発速度を減少でき、植物栽培用容器を長時間に保湿することができる。
【００２５】
次に、図５を参照しながら本考案の一実施例の保水機能付き植物栽培用容器の使用方法を説明する。まず、収容空間１１に栽培媒質Ｂを入れて植物Ａを植えて、本体１０の開口１１１から適量の水を収容空間１１に注入する。前記水の一部は栽培媒質Ｂに吸収され、栽培媒質Ｂに吸収されない水は本体１０に吸収されて保水層１４に滲入する。
【００２６】
本体１０を構成するポリビニールアルコールが親水性を有するため、本体１０の内面１２と外面１３とが水分と接触すると、水分が本体１０の内部に付着して蒸発速度が減少する。本体１０の内面１２と外面１３との間には、高密度な大隙間１４１と、高密度な小隙間１４２と、が形成され、大隙間１４１と小隙間１４２とが内面１２及び外面１３と連通するため、水分が本体１０と接触すると、水分が大隙間１４１と小隙間１４２とに吸収されて保水層１４の内部に滲入して、大隙間１４１と小隙間１４２とに水分が保持される。
【００２７】
本考案の一実施例の保水機能付き植物栽培用容器は、保水層１４の含水状態により保水性と通気性とのバランスを取ることができる。図２及び図３に示すように、保水層１４の直径がより大きい隙間は大隙間１４１であり、保水層１４の直径がより小さい隙間は小隙間１４２である。保水層１４に少量の水分を滲入するときには、水分が小隙間１４２に付着する。なお、より大量の水分が保水層１４に滲入するときには、重力により、水分は、内底壁１２２と外底壁１３２との間の保水層１４に溜まって、底壁にある大隙間１４１を満たす。これにより、保水層１４は、底壁に水分が保持され、水分が溜まっていない周壁により通気性が良く保持される。保水層１４に水分を持続に滲入するときには、水分は、保水層１４の周壁に沿って上方へ登って、保水層１４の隙間を完全に満たす。これにより、保水層１４の隙間の含水量を調整することにより、保水性と通気性とのバランスを取ることができ、植物の成長を促進できる。
【産業上の利用可能性】
【００２８】
本考案は、植物栽培用容器に適用することができる。
【符号の説明】
【００２９】
１０：本体
１１：収容空間
１２：内面
１３：外面
１４：保水層
２０：防水層
１１１：開口
１２１：内周壁
１２２：内底壁
１３１：外周壁
１３２：外底壁
１４１：大隙間
１４２：小隙間
Ａ：植物
Ｂ：栽培媒質
【図１】
0003168008.tif 000003
【図２】
0003168008.tif 000004
【図３】
0003168008.tif 000005
【図４】
0003168008.tif 000006
【図５】
0003168008.tif 000007
【図６】
0003168008.tif 000008